(57)【要約】【課題】従来蒸気発電は、燃料代の高騰による問題・環境負荷の問題があり、原子力においては安全性の問題がある。風力、太陽光の利用で大電力を得るには、広大な敷地を必要とし、且つ天候に左右され電力の供給に不安定な問題がある。水力発電による巨大ダム建設は、一つの村を水没させ、大きな社会問題をひきおこす。【解決手段】本発明は、化石燃料を使用せず、再生可能な水資源を利用するものであるが、巨大なダム建設の必要もなく主装置であるところの、水槽と浮沈体を組み合わせた２機と、副装置であるところの加圧水発生装置、圧縮空気発生装置、環流水送水装置の組み合わせで、併設運用される自動開閉弁を介して水の流れ・空気の流れを制御することで、主装置であるところの浮沈体２機を交互に浮上沈下させることによって、装置全体を稼働させることを特徴とする浮沈体式動力発生装置。【選択図】図１
2015004355.tif 000002
【特許請求の範囲】
【請求項１】
水槽と浮沈体からなる主装置と・加圧水発生装置・圧縮空気発生装置・環流水送水装置からなる動力発生装置であり、これら全体の装置と、付随設備全ての施設を、格納敷設出来る高さと広さを有した鉄骨建造物を構築し、各々の装置は、建造物躯体に固定設置されていて、主装置は、水槽２塔一対、浮沈体２機一対、圧接ソケット装着操作機構２機一組、連鎖チエーン、及び受動伝動輪で構成されていて、この水槽２塔は直近並立に設置され、水槽の真上に受動伝動輪が設置され、受動伝動輪には連鎖チエーンが懸架され、連鎖チエーンの両末端にはそれぞれ、浮沈体が連結されているが、水槽は、水槽ａ・水槽ｂからなり、双方とも高さ５５ｍ程、内径３ｍφ程の規模で、水深５０ｍ程の水を満たし、底床面と地上間に距離３ｍ程の配管スペースを設けてあり、水槽ａ・水槽ｂの２塔一対を直近並立に立て、水槽ａに浮沈体ａを浸漬し、水槽ｂには浮沈体ｂが浸漬しており、水槽は、底床面より１ｍ程上方槽壁に、管径３００ｍｍφ程で、長さ５００ｍｍ程の、深層水取水管が外に向かって水平に貫通配設されており、又水面下１ｍ程の槽壁に、管径３００ｍｍφ程で、長さ５００ｍｍ程の、表層水取水管が外に向かって水平に貫通配設されており、更に水面上１ｍ程の槽壁に、管径３００ｍｍφ程で長さ５００ｍｍ程の、環流水放出管が、外に向かって水平に貫通配設されており、更に又、底床中央の中心点を囲むように、管径１００ｍｍφ程で、長さ５００ｍｍ程の、環流空気放出管が、外部下方に向かって複数貫通配設されており、そして水面上２ｍ程の地点から上方へ２ｍ程の範囲の槽壁に、槽壁を周回して、径５０ｍｍφ程のバカ穴が、規則的な間隔で数百個貫通しており、槽壁を周回して設けてあるバカ穴の内側に、圧接ソケット装着操作機構が、ルーズな状態で設置されている構造であるが、浮沈体は、浮沈体本体と圧接プラグ装着体が合体形成された構造であり、浮沈体本体部は内径２ｍφ程、高さ１６ｍ程の内筒と外筒の二重構造に形成され、内筒と外筒の間には鉄筋コンクリートが埋め込まれ、重量５０トン程に調整され、内容積５０ｍ３程の中空な構造であり、底床は内部に向かって浅く食い込む形で湾曲状に形成され、低床の外側の湾曲窪みが吐出環流空気補足部を成し、その湾曲窪みの真ん中、中心点を囲むように、管径１００ｍｍφ程長さ２００ｍｍ程の環流空気流入＆加圧水流出管が、外から内部に突き出る形で、複数貫通配設され、環流空気流入＆加圧水流出管の各々の先端には、環流空気流入＆加圧水流出逆止弁が配設されていて、この浮沈体本体の上端部は内径１．５ｍφ程に絞られ、フランジ継手を配設して、圧接プラグ装着体と結合されており、圧接プラグ装着体の形体は、内径１．５ｍφ程で、高さ２ｍ程の中空な円筒状に形成され、外周一面の内部側に環流空気送気閉鎖弁付圧接プラグが数十個と、加圧水流入閉鎖弁付圧接プラグ数百個が、規則的な間隔で配設され、それらの圧接面は筒壁を貫通し、外部に数ミリメートル突き出た形で配設されており、この圧接プラグ装着体の内部空間は、縦の隔壁板で不均等な広さの２室に分けられ、狭い部屋は環流空気送気室、広い部屋は加圧水流入室となっており、この圧接プラグ装着体の閉じられた頭頂中央に連鎖チエーン連結部が配設され、���端部は、フランジ継手が装着され、パッキンを挟んで、浮沈体本体のフランジ継手と結合され、補修時に分離脱着可能な形で形成されて、この浮沈体と連携作用する装置である圧接ソケット装着操作機構は、内径１．５ｍφ程・高さ２ｍ程で、内筒と外筒の間に離隔３００ｍｍ程の隙間を設け、圧接ソケット操作装置を組み込んだ二重構造になっており、上下両面はドーナツ状に蓋をされた形で、外筒は補修時に４分割程に分離分解できる形で形成された構造であり、圧接ソケット装着操作機構は、環流空気送気閉鎖弁付圧接ソケット数十個と、加圧水送水閉鎖弁付圧接ソケット数百個とから成り、それら圧接ソケットの個別ごとに、圧接面の可動部を動かす油圧シリンダーが併設され組み込まれており、これらの可動部は内筒壁を、内側へ数ミリメートル程貫通し突き出た形で配設されていて、外筒壁は数百個の可撓管貫通穴が規則的な間隔で開いており、そこに、環流空気送気閉鎖弁付圧接ソケット数十個の各々に環流空気送気可撓管が接続されている端末を、貫通穴に通し、そのまま水槽槽壁に開いたバカ穴を通り、環流空気集合管に接続されており、又各々の加圧水送水閉鎖弁付圧接ソケットに接続された可撓管の端末も、同じ外筒壁の残りの可撓管貫通穴を通し、そのまま水槽壁に開いたバカ穴を通り二次加圧水集合貯留分岐管に接続されており、又更に各々の油圧シリンダーに接続された作動油送油可撓管の端末も、同様に残りの可撓管貫通穴を通し、そのまま水槽壁に開いたバカ穴を通り、作動油送油本管に接続されている構造で、浮沈体が上死点に留め置かれた時、圧接プラグ装着体が、圧接ソケット装着操作機構に最適位置に囲まれ、環流空気送気閉鎖弁付圧接ソケット数十個程の圧接面と環流空気送気閉鎖弁付圧接プラグ数十個程の圧接面は相対し、又加圧水送水閉鎖弁付圧接ソケット数百個の圧接面と、加圧水流入閉鎖弁付圧接プラグ数百個の圧接面とが相対している位置にあり、圧接ソケットと圧接プラグは、圧接ソケット装着操作機構の油圧シリンダーの操作によって、圧接密着され流体の流れを促し、そのような作用後は逆に離し、流体の流れを遮断するのであり、又受動伝動輪の外径は、真下に並立する２塔の水槽それぞれの中心線間距離に等しく、水槽上端より３ｍ程上方に配設され、回転シャフトの同一軸上に外側から順に受動スプロケット、ブレーキディスク、出力伝動スプロケットが並列に装着されており、連鎖チエーンは、隣り合う２塔の水槽を跨ぐように、受動伝動輪を構成する一番外側の受動スプロケットに懸架し、一端を浮沈体ａの頭頂部の連鎖チエーン連結部に繋合し、水槽ａの最深部下死点に沈め置いて、他端を浮沈体ｂの頭頂部の連鎖チエーン連結部に繋合し、水槽ｂの浮上上死点に留め置かれ、この時、浮沈体ｂに合体されている圧接プラグ装着体ｂは、圧接ソケット装着操作機構に最適な位置に囲まれているのであって、即ち浮沈体ｂが上死点に留め置かれた状態のとき、浮沈体ａ及びｂ内の空気と水が入れ替わる環境が整うのであり、受動伝動輪は径３００ｍｍφ程の回転シャフトに、外径４ｍφ程の受動スプロケット、外径５００ｍｍφ程の出力伝動スプロケット、外径１ｍφ程のブレーキディスクが装着されており、ブレーキディスクの外周に沿ってブレーキディスクの両面を挟みつけるブレーキ制動装置数機が躯体に固定されているが、ブレーキ制動装置は、別途常設されている油圧ポンプと電磁制御弁の操作により、回転シャフトの回転を静止、解放を執り行うのであり、回転シャフトの両端を、ピロウブロック様の転がり軸受けで受け、躯体に固定されているが、出力伝導スプロケットの回転が、エンドレスチエーンを介して、別途配設されている増速機を回転させて発電機を回すのであり、又水槽に付帯して、深層水集合貯留分岐管、表層水集合貯留分岐管、環流水集合貯留分岐管、一次加圧水集合貯留分岐管、二次加圧水集合貯留分岐管が敷設してあり、深層水集合貯留分岐管は、水槽の槽壁に配設された深層水取水管より１ｍ程下方位置、即ち水槽の低床の高さで、水槽より１ｍ程離れた位置に、複数本横並びで、水平に敷設固定されており、管径６００ｍｍφ程長さ１００ｍ程の形状で管壁上面の数十箇所に、径３００ｍｍφ程の穴をあけ、そこに管径３００ｍｍφ程で長さ３００ｍｍ程の短管Ｄが直立配設されており、管壁下面には数十箇所に径３００ｍｍφ程の穴をあけ、そこに管径３００ｍｍφ程で長さ３００ｍｍ程の短管Ｅが垂下配設されており、短管Ｄは、深層水取水保守用手動開閉弁を介し、深層水取水管に配管接続され、短管Ｅは、加圧水発生装置の深層水取水＆作用後送出シリンダーの深層水取水＆作用後送出短管Ｂ・Ｂ’に、また圧縮空気発生装置の深層水取水＆作用後送出シリンダーの短管Ｄ・Ｄ’に、又更に環流水送水装置の深層水取水＆作用後送出シリンダーの短管Ｆ・Ｆ’に、何れも手動開閉弁及び自動開閉弁を介して、配管接続されており、表層水集合貯留分岐管は、水槽の槽壁に配設された表層水取水管より１ｍ程下方位置で、水槽より１ｍ程離れた位置に、複数本横並びで、水平に敷設固定されており、管径６００ｍｍφ程、長さ１００ｍ程の形状で、管壁上面の数十箇所に、径３００ｍｍφ程の穴をあけ、そこに管径３００ｍｍφ程で長さ３００ｍｍ程の短管Ａが直立配設されていて、管壁下面の数十箇所に、径３００ｍｍφ程の穴をあけ、そこに管径３００ｍｍφ程で長さ３００ｍｍ程の短管Ｂが垂下配設されていて、短管Ａは、水槽の槽壁に配設された表層水取水管に、手動開閉弁を介して配管接続されており、短管Ｂは加圧水発生装置の、表層水取水＆加圧水発生シリンダーの短管Ａ・Ａ’に、手動開閉弁及び自動開閉弁を介して配管接続されていて、環流水集合貯留分岐管は、地上より８ｍ程上方で水槽より１ｍ程離れた位置に、複数本横並びで水平に敷設し固定されており、管径５００ｍｍφ程長さ１００ｍ程の形状で、管壁上面の数十箇所に、径１００ｍｍφ程の穴をあけ、そこに管径１００ｍｍφ程で長さ３００ｍｍ程の短管先端に、環流水の流入流出に伴い管内が正圧もしくは負圧にならないように、又貯留されている環流水の取水時に、砂塵を吸い込まないように、フィルター付吸排気ホッパーを装着した配管が、直立配設されており、管壁下面の任意の位置数十箇所に、径３００ｍｍφ程の穴をあけそこに管径３００ｍｍφ程で長さ３００ｍｍ程の短管Ｃが垂下配設されていて、この短管Ｃは加圧水発生装置の、深層水取水＆作用後送出シリンダーの短管Ｂ・Ｂ’と、圧縮空気発生装置の、深層水取水＆作用後送出シリンダーの短管Ｄ・Ｄ’に、手動開閉弁及び自動開閉弁を介して配管接続されており、各々の深層水取水＆作用後送出ピストンの受圧作用後の深層水を回収し、環流水集合貯留分岐管に、一時溜め置くのであり、また一時溜め置かれた貯留環流水を環流水として、水槽内に戻すのであるが、貯留環流水を取水圧送する環流水取水＆圧送シリンダーの短管Ｅ・Ｅ’に手動開閉弁及び自動開閉弁を介して配管接続されており、又一次加圧水集合貯留分岐管は、水槽の槽璧に配設された表層水取水管より１ｍ程下方位置で、水槽より数メートル離れた位置に、複数本横並びで、水平に敷設固定されているが、管径６００ｍｍφ程、長さ１００ｍ程の形状で、管壁上面の数十個所に、径３００ｍｍφ程の穴をあけ、そこに管径３００ｍｍφ程で長さ３００ｍｍ程の短管Ｆが直立配設されていて、管壁下面の数十箇所に、径３００ｍｍφ程の穴をあけ、そこに管径３００ｍｍφ程で長さ３００ｍｍ程の短管Ｇが垂下配設されており、短管Ｆは二次加圧水集合貯留分岐管に、手動開閉弁及び逆止弁を介して配管接続されており、短管Ｇは、加圧水発生装置の、表層水取水＆加圧水発生シリンダーの短管Ａ・Ａ’に、手動開閉弁及び自動開閉弁を介して配管接続されており、又二次加圧水集合貯留分岐管は、水槽上部に開いた加圧水送水可撓管貫通バカ穴の縦配列に向かい合う形で、水槽より数メートル離れた所に、直立周回した形で、百本程縦に固定されており、管径２００ｍｍφ程、長さ３ｍ程の形状で頭頂部は、半球状に閉じられ、先端に径２０ｍｍφ程の穴を開け、そこに管径２０ｍｍφ程、長さ１５０ｍｍの短管が配設され、先端にエアー抜きの手動開閉弁が装着されているが、下端部に手動開閉弁が装着されていて、加圧水送水可撓管貫通バカ穴に対向した管壁の数十個所に、径３０ｍｍφ程の穴をあけ、そこに管径３０ｍｍφ程、長さ５００ｍｍ程の短管が水平に数十本配設され、先端に加圧水送水可撓管が接続されている構造であり、以上の様な主装置において、浮沈体の浮上沈下の反復作用は、浮上している浮沈体内の環流空気圧より高めに表層水を加圧出来る加圧水発生装置で、加圧しながら浮沈体内に圧送することで、この浮沈体内の環流空気は増圧し押し出され、他方の水槽最深部下死点に留め置かれた浮沈体下部の水中に放出することで、浮沈体内に取り込まれるが、浮沈体内の加圧水を押し出しながら環流空気と入れ替えることによって浮沈体は軽くなり、この動作を繰り返す装置が加圧水発生装置であり、加圧水発生装置は、表層水取水＆加圧水送出シリンダーＡ及びＡ’の２機一対と深層水取水＆作用後送出シリンダーＢ及びＢ’の２機一対と、連鎖ワイヤー、プーリー、２個一対のテンションプーリーＡ・Ｂから構成されており、加圧水発生装置は、水槽から数メートル離れた所に、地上より水槽と並立に立ち上がっていて、プーリーは外径３００ｍｍφ程で、地上より５５ｍ程の高さにあり、このプーリーの垂線下１ｍ程の左右に、８５０ｍｍ程ずつ振り分けられた所に外径１００ｍｍφ程のテンションプーリーが水平に相対して１７００ｍｍ程の離隔を設けて配置されており、プーリーに懸架された連鎖ワイヤーは、裾広がりに下降して、テンションプーリーを経由し、そこから垂直降下して、表層水取水＆加圧送出ピストンＡ及びＡ’から伸びたスライドシャフト先端の連結フックにそれぞれ連結され、更にこのピストンそれぞれの、下面中心部の連鎖ワイヤー連結フックに連結された連鎖ワイヤーは下方の深層水取水＆作用後送出ピストンＢ及びＢ’の連結フックに、それぞれ連鎖連結されており、テンションプーリーから約３ｍ下方位置に表層水取水＆加圧水送出シリンダーが一対的に設置され、表層水取水＆加圧水送出シリンダーの垂直下の地上に深層水取水＆作用後送出シリンダーが一対的に設置されており、それぞれのシリンダーに内設されたピストンの上面真ん中からは、スライドシャフトが真上に伸びて、ピストンがシリンダーの底に着いた時に、スライドシャフトの頭がシリンダーの上蓋に配設された、スライドシャフト貫通管より外に少し突き出る状体になり、このスライドシャフトの突端に連鎖ワイヤー連結フックが設けられていて、表層水取水＆加圧水送出シリンダーＡ及びＡ’の構造は、内径１２００ｍｍφ程高さ２ｍ程の円筒形で、底床中心部に３００ｍｍφ程の連鎖ワイヤー貫通のバカ穴が開いており、上端部はフランジ継手が設けられ、上蓋をボルトで結合されており、上蓋中心点に内径５０ｍｍφ程、長さ２００ｍｍ程のスライドシャフト貫通管が配設され、これを取り囲む様に，管径３００ｍｍφ程、長さ２００ｍｍ程の短管が４本程貫通配設されていて、シリンダー内部に、ピストンが設けられており、このピストン上面中心部に、外径５０ｍｍφ程、長さ３ｍ程のスライドシャフトが装着され、上蓋のスライドシャフト貫通管を通して、先端に連鎖ワイヤー連結フックが装着されており、更にこのピストン下面中心部に連鎖ワイヤー連結フックが装着されていて、深層水取水＆作用後送出シリンダーＢ及びＢ’の構造は、内径１５００ｍｍφ程、高さ２ｍ程で、底床中心部に３００ｍｍφ程の吸排気口のバカ穴が開いていて、上端部はフランジ継手が設けられ、上蓋をボルトで結合されていて、上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されていて、シリンダー内部に、ピストンが設けられており、このピストン上面中心部に、外径５０ｍｍφ程、長さ３ｍ程のスライドシャフトが装着され、上蓋のスライドシャフト貫通管を通して、先端に連鎖ワイヤー連結フックが装着されていて、又圧縮空気発生装置は、自動開閉弁の駆動に供する圧縮空気を生み出す装置であり、大気吸入＆圧縮空気発生シリンダーＣ及びＣ’の２機一対と深層水取水＆作用後送出シリンダーＤ及びＤ’の２機一対とエアータンク数台及び連鎖ワイヤーとプーリーと２個一対のテンションプーリーを用いて構成され、圧縮空気発生装置は、水槽から数メートル離れた所に、地上より水槽と並立に立ち上がっていて、プーリーは外径３００ｍｍφ程で、地上より１９ｍ程の高さにあり、このプーリーの垂線下１ｍ程の左右に、８５０ｍｍ程ずつ振り分けられた所に、外径１００ｍｍφ程のテンションプーリーが水平に相対して１７００ｍｍ程の離隔を設けて配置されており、プーリーに懸架された連鎖ワイヤーは、裾広がりに下降して、テンションプーリーを経由し、そこから垂直降下して、大気吸入＆圧縮空気発生ピストンＣ及びＣ’から伸びたスライドシャフト先端の連結フックにそれぞれ連結され、更にこのピストン下面中心部の連鎖ワイヤー連結フックに連結された連鎖ワイヤーは下方の深層水取水＆作用後送出ピストンＤ及びＤ’の連結フックに、それぞれ連鎖連結されていて、テンションプーリーから約３ｍ下方位置に大気吸入＆圧縮空気発生シリンダーが一対的に設置され、大気吸入＆圧縮空気発生シリンダーの垂直下の地上に深層水取水＆作用後送出シリンダーが一対的に設置されており、それぞれのシリンダーに内設されたピストンの上面真ん中からは、スライドシャフトが接合され、真上に伸びて、ピストンがシリンダーの底に着いた時に、スライドシャフトの頭がシリンダーの上蓋の外に少し突き出る状体になっていて、このスライドシャフトの突端に連結フックが設けられているのであって、大気吸入＆圧縮空気発生シリンダーＣ及びＣ’の構造は、内径１２００ｍｍφ程・高さ２ｍ程の円筒形で、底床中心部に３００ｍｍφ程の連鎖ワイヤー貫通のバカ穴が開いていて、上端部はフランジ継手が設けられ上蓋をボルトで結合されており、上蓋中心点に内径５０ｍｍφ程、長さ２００ｍｍ程のスライドシャフト貫通管が配設され、スライドシャフト貫通管を挟んだ両側に，管径１００ｍｍφ程、長さ２００ｍｍ程の短管が２本程貫通配設されており、シリンダー内部に、ピストンが設けられており、このピストン上面中心部に、外径５０ｍｍφ程、長さ３ｍ程のスライドシャフトが装着され、上蓋のスライドシャフト貫通管を通して、先端に連鎖ワイヤー連結フックが装着されており、又更にこのピストン下面中心部に連鎖ワイヤー連結フックが装着されているのであって、深層水取水＆作用後送出シリンダーＤ及びＤ’の構造は内径１５０’ｍｍφ程高さ２ｍ程で底床中心部に３００ｍｍφ程の吸排気口のバカ穴が開いていて、上端部はフランジ継手が設けられ上蓋をボルトで結合されており、上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されており、シリンダー内部に、ピストンが設けられているが、このピストン上面中心点に、外径５０ｍｍφ程、長さ３ｍ程のスライドシャフトが装着され、上蓋のスライドシャフト貫通管を通して、突端に連鎖ワイヤー連結フックが装着されていて、又エアータンクの設置場所は、水槽から数メートル離れた所で、地上より１３ｍ程上方に数台直立に設置され、タンク径６００ｍｍφ程高さ２ｍ程で頭頂部はドーム状を成し、頭頂中心点に径１００ｍｍφ程長さ２００ｍｍ程の短管を配設し、この短管に、手動開閉弁・自動開閉弁を介して大気取り込み＆圧縮空気発生シリンダー及び圧縮空気送気管に配管接続され、底床は頭頂部と同様に下方に膨らむドーム状を成し、低床中心点に径１００ｍｍφ程長さ２００ｍｍ程の短管を配設し、この短管は手動開閉弁・自動開閉弁を介して深層水集合貯留分岐管に配管接続されており、エアータンクは、このような位置にあることによって、圧縮空気を貯留するだけでなく、多数の自動操作弁の作用駆動に際し、エアータンク内の圧縮空気の減圧減量に同調し、深層水を低床側の短管より追随供給し、水圧と圧縮空気圧の拮抗���保持することで、空気圧を安定に保つ役割を果たすのであり、環流水送水装置は、貯留環流水取水＆圧送シリンダーａ及びｂと深層水取水＆作用後送出シリンダーＦ及びＦ’の２機一対と、連鎖ワイヤーと、プーリーと、２個一対のテンションプーリーから構成されており、環流水送水装置は、水槽から数メートル離れた所に、地上より水槽と並立に立ち上がっており、プーリーは外径３００ｍｍφ程で、地上より１１ｍ程の高さにあり、このプーリーの垂線下１ｍ程の左右に８５０ｍｍ程ずつ振り分けられたところに、外径１００ｍｍφ程のテンションプーリーが、水平に相対して１７００ｍｍ程の離隔を設けて配置されており、プーリーに懸架された連鎖ワイヤーは、裾広がりに下降して、テンションプーリーを経由し、そこから垂直降下して、環流水取水＆圧送ピストンＥ及びＥ’から伸びたスライドシャフト先端の連結フックにそれぞれ連結され、更にこのピストン下面中心部の連鎖ワイヤー連結フックに連結された連鎖ワイヤーは、下方の深層水取水＆作用後送出ピストンＦ及びＦ’の連結フックにそれぞれ連鎖連結されており、テンションプーリーから３ｍ程下方位置に環流水取水＆圧送シリンダーが一対的に設置され、環流水取水＆圧送シリンダーの垂直下の地上に位置に深層水取水＆作用後送出シリンダーが一対的に設置されており、それぞれのシリンダーに内設されたピストンの真ん中からは、スライドシャフトが真上に伸びて、ピストンがシリンダーの底に着いた時に、スライドシャフトの頭がシリンダーの上蓋のスライドシャフト貫通管より、外に少し突き出る状体で、このスライドシャフトの突端に連結フックが設けられており、環流水取水＆圧送シリンダーＥ及びＥ’の構造は、内径１５００ｍｍφ程、高さ２ｍ程で底床中心部に３００ｍｍφ程の連鎖ワイヤー貫通のバカ穴が開いていて、上端部はフランジ継手が設けられ上蓋をボルトで結合されており、上蓋中心点に内径５０ｍｍφ程、長さ２００ｍｍのスライドシャフト貫通管が配設され、スライドシャフト貫通管を囲んで、管径３００ｍｍφ程、長さ２００ｍｍ程の短管が６本程貫通配設されており、シリンダー内部に、ピストンが設けられており、ピストン上面中心部に、外径５０ｍｍφ程、長さ３ｍ程のスライドシャフトが装着され、上蓋のスライドシャフト貫通管を通して、突端に連鎖ワイヤー連結フックが装着されており、又更にこのピストン下面中心部に連鎖ワイヤー連結フックが装着されており、深層水取水＆深層水作用後送出シリンダーＦ及びＦ’は内径１５００ｍｍφ程高さ２ｍ程で底床中心部に３００ｍｍφ程の吸排気口のバカ穴が開いていて、上端部はフランジ継手が設けられ、上蓋をボルトで結合されており、上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されており、シリンダー内部に、ピストンが設けられており、このピストン上面中心点に、外径５０ｍｍφ程、長さ３ｍ程のスライドシャフトが装着され、上蓋のスライドシャフト貫通管を通して、突端に連鎖ワイヤー連結フックが装着されていることを特徴とする浮沈体式動力発生装置。
【発明の詳細な説明】
【技術分野】
【０００１】本発明は、主に発電機を駆動させる目的で考案した浮沈体式動力発生装置に関するものである。
【背景技術】
【０００２】従来原子力発電や火力発電があり、また再生可能エネルギーとして太陽光発電、風力発電、水力発電、地熱発電、等々ある。
【発明の概要】
【発明が解決しようとする課題】
【０００３】  原子力発電は、大電力を提供することが出来るが、周期的な点検を必要とし、その期間は長く、その間電力を提供できない。また操業停止後の廃炉解体に至る期間も長く、その間の費用もかさむ。又一度事故が起きると甚大な人命・健康・経済的被害を及ぼす。
又火力発電は、燃料の調達、高騰に苦慮し、ＣＯ２の排出による大気汚染等の弊害がある。
太陽光発電、風力発電においては、大電力を得るには広大な敷地を必要とし、且つ雲天の時は、減電し夜間においては全く発電できなく、風力発電は、時々刻々風力が変動するので発生する電力は、非常に不安定であり、共に天候に左右される。
又、水力発電においては、水の流れを利用する設備故、設置場所を選ぶ必要があり、大規模な水力発電においては、一つの山村集落を埋没させる程の広大な谷あいにダムを構築する必要がある。地熱発電は、利用できる熱源の多くは、観光地に多く、立地おいては、付近の景観を損ね、特定の場所にしか建設できない。
以上の問題点を解決するために浮沈体式動力発生装置を考案した。
【課題を解決するための手段】
【０００４】  水槽と浮沈体からなる主装置・加圧水発生装置・圧縮空気発生装置・環流水送水装置からなる動力発生装置であり、これら全体の装置と、付随設備全ての施設を、格納敷設出来る高さと広さを有した鉄骨建造物を構築し、各々の装置は、建造物躯体に固定設置されている。
主装置は、水槽２塔一対、浮沈体２機一対、圧接ソケット装着操作機構２機一組、連鎖チエーン、及び受動伝動輪で構成されている。この水槽２塔は直近並立に設置され、水槽の真上に受動伝動輪が設置され、受動伝動輪には連鎖チエーンが懸架され、連鎖チエーンの両末端にはそれぞれ、浮沈体が連結されている。
水槽は、水槽ａ・水槽ｂからなり、双方とも高さ５５ｍ程、内径３ｍφ程の規模で、水深５０ｍ程の水を満たし、底床面と地上間に距離３ｍ程の配管スペースを設けてあり、水槽ａ・水槽ｂの２塔一対を直近並立に立て、水槽ａに浮沈体ａを浸漬し、水槽ｂには浮沈体ｂが浸漬してある。水槽は、底床面より１ｍ程上方槽壁に、管径３００ｍｍφ程で、長さ５００ｍｍ程の、深層水取水管が外に向かって水平に貫通配設されており、又水面下１ｍ程の槽壁に、管径３００ｍｍφ程で、長さ５００ｍｍ程の、表層水取水管が外に向かって水平に貫通配設され、更に水面上１ｍ程の槽壁に、管径３００ｍｍφ程で長さ５００ｍｍ程の、環流水放出管が、外に向かって水平に貫通配設されており、更に又、底床中央の中心点を囲むように、管径１００ｍｍφ程で、長さ５００ｍｍ程の環流空気放出管が、外部下方に向かって複数貫通配設されており、そして水面上２ｍ程の地点から上方へ２ｍ程の範囲の槽壁に、槽壁を周回して、径５０ｍｍφ程のバカ穴が、規則的な間隔で数百個貫通している。
槽壁を周回して設けてあるバカ穴の内側に、圧接ソケット装着操作機構が、ルーズな状態で設置されている。
浮沈体は、浮沈体本体と圧接プラグ装着体が合体形成された構造であり、浮沈体本体部は内径２ｍφ程、高さ１６ｍ程の内筒と外筒の二重構造に形成され、内筒と外筒の間には鉄筋コンクリートが埋め込まれ、重量５０トン程に調整され、内容積５０ｍ３程の中空な構造であり、底床は内部に向かって浅く食い込む形で湾曲状に形成され、低床の外側の湾曲窪みが吐出環流空気補足部を成し、その湾曲窪みの真ん中、中心点を囲むように、管径１００ｍｍφ程長さ２００ｍｍ程の環流空気流入＆加圧水流出管が、外から内部に突き出る形で、複数貫通配設され、環流空気流入＆加圧水流出管の各々の先端には、環流空気流入＆加圧水流出逆止弁が配設されている。この浮沈体本体の上端部は内径１．５ｍφ程に絞られ、フランジ継手を配設して、圧接プラグ装着体と、結合されている。
圧接プラグ装着体の形体は、内径１．５ｍφ程で、高さ２ｍ程の中空な円筒状に形成され、外周一面の内部側に、環流空気送気閉鎖弁付圧接プラグが数十個と、加圧水流入閉鎖弁付圧接プラグ数百個が、規則的な間隔で配設され、それらの圧接面は筒壁を貫通し、外部に数ミリメートル突き出た形で配設されている。この圧接プラグ装着体の内部空間は、縦の隔壁板で不均等な広さの２室に分けられ、狭い部屋は環流空気送気室、広い部屋は加圧水流入室となっている。この圧接プラグ装着体の閉じられた頭頂中央に連鎖チエーン連結部が配設され、下端部は、フランジ継手が装着され、パッキンを挟んで、浮沈体本体のフランジ継手と結合されるが、補修時に分離脱着可能な形で形成されている。
この浮沈体と連携作用する装置である圧接ソケット装着操作機構は、内径１．５ｍφ程・高さ２ｍ程で、内筒と外筒の間に離隔３００ｍｍ程の隙間を設け、圧接ソケット操作装置を組み込んだ二重構造になっており、上下両面はドーナツ状に蓋をされた形で、外筒は補修時に４分割程に分離分解できる形で形成された構造である。圧接ソケット装着操作機構は、環流空気送気閉鎖弁付圧接ソケット数十個と、加圧水送水閉鎖弁付圧接ソケット数百個とから成り、それら圧接ソケットの個別ごとに、可動部を動かす油圧シリンダーが併設され組み込まれているが、これらの可動部は内筒壁を、内側へ数ミリメートル程貫通し突き出た形で配設されている。
外筒壁は数百個の可撓管貫通穴が規則的な間隔であいており、そこに、環流空気流出閉鎖弁付圧接ソケット数十個の各々に環流空気送気可撓管が接続され端末を可撓管貫通穴に通し、そのまま水槽槽壁に空いたバカ穴を通り、環流空気集合管に接続されている。又各々の加圧水送水閉鎖弁付圧接ソケットに接続された可撓管の端末も、同じ外筒壁の残りの可撓管貫通穴を通し、そのまま水槽壁に空いたバカ穴を通り、二次加圧水集合貯留分岐管に接続されている。又更に各々の油圧シリンダーに接続された作動油送油可撓管の端末も、同様に残りの可撓管貫通穴を通し、そのまま水槽壁に空いたバカ穴を通り、作動油送油本管に接続されている。
尚浮沈体が上死点に留め置かれた時、圧接プラグ装着体が、圧接ソケット装着操作機構に最適位置に囲まれ、環流空気送気閉鎖弁付圧接ソケット数十個程の圧接面と環流空気送気閉鎖弁付圧接プラグ数十個程の圧接面は相対し、又加圧水送水閉鎖弁付圧接ソケット数百個の圧接面と、加圧水流入閉鎖弁付圧接プラグ数百個の圧接面とが相対している位置にある。圧接ソケットと圧接プラグは、圧接ソケット装着操作機構の油圧シリンダーの操作によって、圧接密着され、流体の流れを促し、そのような作用後は逆に離し、流体の流れを遮断するのである。
受動伝動輪の外径は、真下に並立する２塔の水槽それぞれの中心線間距離に等しく、水槽上端より３ｍ程上方に配設され、回転シャフトの同一軸上に外側から順に受動スプロケット、ブレーキディスク、出力伝動スプロケットが並列に装着されている。
連鎖チェーンは、隣り合う２塔の水槽を跨ぐように、受動伝動輪を構成する一番外側の受動スプロケットに懸架し、一端を浮沈体ａの頭頂部の連鎖チェーン連結部に繋合し、水槽ａの最深部下死点に沈め置いて、他端を浮沈体ｂの頭頂部の連鎖チェーン連結部に繋合し、水槽ｂの浮上上死点に留め置かれる。この時、浮沈体ｂに合体されている圧接プラグ装着体ｂは、圧接ソケット装着操作機構に最適な位置に囲まれている。即ち浮沈体ｂが上死点に留め置かれた状態のとき、浮沈体ａ及びｂ内の空気と水が入れ替わる環境が整うのである。
受動伝動輪は径３００ｍｍφ程の回転シャフトに、外径４ｍφ程の受動スプロケット、外径５００ｍｍφ程の出力伝動スプロケット、外径１ｍφ程のブレーキディスクが装着されているが、ブレーキディスクの外周に沿ってブレーキディスクの両面を挟みつけるブレーキ制動装置数機が躯体に固定されている。ブレーキ制動装置は、別途常設されている油圧ポンプと電磁制御弁の操作により、回転シャフトの回転を静止、解放を執り行う。回転シャフトの両端を、ピロウブロック様の転がり軸受けで受け、躯体に固定されている。出力伝動スプロケットの回転が、エンドレスチェーンを介して、別途配設されている増速機を回転させて発電機を回すのである。
水槽に付帯して、深層水集合貯留分岐管、表層水集合貯留分岐管、環流水集合貯留分岐管、一次加圧水集合貯留分岐管、二次加圧水集合貯留分岐管が敷設してあり、深層水集合貯留分岐管は、水槽の槽壁に配設された深層水取水管より１ｍ程下方位置、即ち水槽の低床の高さで、水槽より１ｍ程離れた位置に、複数本横並びで、水平に敷設固定されているが、管径６００ｍｍφ程長さ１００ｍ程の形状で管壁上面の数十箇所に、径３００ｍｍφ程の穴をあけ、そこに管径３００ｍｍφ程で長さ３００ｍｍ程の短管Ｄが直立配設されており、管壁下面には数十箇所に径３００ｍｍφ程の穴をあけそこに管径３００ｍｍφ程で長さ３００ｍｍ程の短管Ｅが垂下配設されている。短管Ｄは、深層水取水保守用手動開閉弁を介し、深層水取水管に配管接続され、短管Ｅは、加圧水発生装置の深層水取水＆作用後送出シリンダーの深層水取水＆作用後送出短管Ｂ・Ｂ’に、また圧縮空気発生装置の深層水取水＆作用後送出シリンダーの短管Ｄ・Ｄ’に、又更に環流水送水装置の深層水取水＆作用後送出シリンダーの短管Ｆ・Ｆ’に、何れも手動開閉弁及び自動開閉弁を介して、配管接続されている。
表層水集合貯留分岐管は、水槽の槽壁に配設された表層水取水管より１ｍ程下方位置で、水槽より１ｍ程離れた位置に、複数本横並びで、水平に敷設固定されているが、管径６００ｍｍφ程、長さ１００ｍ程の形状で、管壁上面の数十箇所に、径３００ｍｍφ程の穴をあけそこに管径３００ｍｍφ程で長さ３００ｍｍ程の短管Ａが直立配設されている。管壁下面の数十箇所に、径３００ｍｍφ程の穴をあけ、そこに管径３００ｍｍφ程で長さ３００ｍｍ程の短管Ｂが垂下配設されている。短管Ａは、水槽の槽壁に配設された表層水取水管に、手動開閉弁を介して配管接続されている。短管Ｂは加圧水発生装置の、表層水取水＆加圧水発生シリンダーの短管Ａ・Ａ’に、手動開閉弁及び自動開閉弁を介して配管接続されている。
環流水集合貯留分岐管は、地上より８ｍ程上方で水槽より１ｍ程離れた位置に、複数本横並びで水平に敷設し固定されている。管径５００ｍｍφ程長さ１００ｍ程の形状で、管壁上面の数十箇所に、径１００ｍｍφ程の穴をあけ、そこに管径１００ｍｍφ程で長さ３００ｍｍ程の短管先端に、環流水の流入流出に伴い管内が、正圧もしくは負圧にならないように、又貯留されている環流水の取水時に、砂塵を吸い込まないように、フィルター付吸排気ホッパーを装着した配管が、直立配設されている。管壁下面の任意の位置数十箇所に、径３００ｍφ程の穴をあけそこに管径３００ｍｍφ程で長さ３００ｍｍ程の短管Ｃが垂下配設されている。この短管Ｃは加圧水発生装置の、深層水取水＆作用後送出シリンダーの短管Ｂ・Ｂ’と、圧縮空気発生装置の、深層水取水＆作用後送出シリンダーの短管Ｄ・Ｄ’に、手動開閉弁及び自動開閉弁を介して配管接続されており、各々の深層水取水＆作用後送出ピストンの受圧作用後の深層水を回収し、環流水集合貯留分岐管に、一時溜め置くのである。また一時溜め置かれた貯留環流水を環流水として、水槽内に戻すのであるが、貯留環流水を取水圧送する環流水取水＆圧送シリンダーの短管Ｅ・Ｅ’に手動開閉弁及び自動開閉弁を介して配管接続されている。
一次加圧水集合貯留分岐管は、水槽の槽璧に配設された表層水取水管より１ｍ程下方位置で、水槽より数メートル離れた位置に、複数本横並びで、水平に敷設固定されているが、管径６００ｍｍφ程、長さ１００ｍ程の形状で、管壁上面の数十個所に、径３００ｍｍφ程の穴をあけ、そこに管径３００ｍｍφ程で長さ３００ｍｍ程の短管Ｆが直立配設されている。管壁下面の数十箇所に、径３００ｍｍφ程の穴をあけ、そこに管径３００ｍｍφ程で長さ３００ｍｍ程の短管Ｇが垂下配設されている。短管Ｆは二次加圧水集合貯留分岐管に、手動開閉弁及び逆止弁を介して配管接続されている。短管Ｇは、加圧水発生装置の、表層水取水＆加圧水発生シリンダーの短管Ａ・Ａ’に、手動開閉弁及び自動開閉弁を介して配管接続されている。
二次加圧水集合貯留分岐管は、水槽上部に開いた加圧水送水可撓管貫通バカ穴の縦配列に向かい合う形で、水槽より数メートル離れた所に直立周回した形で、百本程縦に固定されており、管径２００ｍｍφ程、長さ３ｍ程の形状で頭頂部は、半球状に閉じられ、先端に径２０ｍｍφ程の穴を開け、そこに管径２０ｍｍφ程、長さ１５０ｍｍの短管が配設され、先端にエアー抜きの手動開閉弁が装着されている。下端部には手動開閉弁が装着されている。加圧水送水可撓管貫通バカ穴に対向した管壁の数十個所に、径３０ｍｍφ程の穴をあけ、そこに管径３０ｍｍφ程、長さ５００ｍｍ程の短管が水平に数十本配設され、先端には加圧水送水可撓管が接続されている。
以上の様な主装置において、浮沈体の浮上沈下の反復作用は、浮上している浮沈体内の環流空気圧よりやや高めに表層水を加圧出来る加圧水発生装置で、加圧しながら浮沈体内に圧送することで、この浮沈体内の環流空気は増圧し押し出され、他方の水槽最深部下死点に留め置かれた浮沈体下部の水中に放出することで、浮沈体内に取り込まれるが、浮沈体内の加圧水を押し出しながら環流空気と入れ替えることによって浮沈体は軽くなる。この動作を繰り返す装置が加圧水発生装置である。
加圧水発生装置は、表層水取水＆加圧水送出シリンダーＡ及びＡ’の２機一対と深層水取水＆作用後送出シリンダーＢ及びＢ’の２機一対と連鎖ワイヤーとプーリーと、２個一対のテンションプーリーＡ・Ｂから構成されている。加圧水発生装置は、水槽から数メートル離れた所に、地上より水槽と並立に立ち上がっている。プーリーは外径３００ｍｍφ程で、地上より５５ｍ程の高さにあり、このプーリーの垂線下１ｍ程の左右に、８５０ｍｍ程ずつ振り分けられた所に外径１００ｍｍφ程のテンションプーリーが水平に相対して１７００ｍｍ程の離隔を設けて配置されている。プーリーに懸架された連鎖ワイヤーは、裾広がりに下降して、テンションプーリーを経由し、そこから垂直降下して、表層水取水＆加圧送出ピストンＡ及びＡ’から伸びたスライドシャフト先端の連結フックにそれぞれ連結され、更にこのピストンそれぞれの、下面中心部の連鎖ワイヤー連結フックに連結された連鎖ワイヤーは下方の深層水取水＆作用後送出ピストンＢ及びＢ’の連結フックに、それぞれ連鎖連結される。テンションプーリーから約３ｍ下方位置に表層水取水＆加圧水送出シリンダーが一対的に設置され、表層水取水＆加圧水送出シリンダーの垂直下の地上に深層水取水＆作用後送出シリンダーが一対的に設置される。それぞれのシリンダーに内設されたピストンの真ん中からは、スライドシャフトが真上に伸びて、ピストンがシリンダーの底に着いた時に、スライドシャフトの頭がシリンダーの上蓋に配設された、スライドシャフト貫通管より少し突き出る状体になる。このスライドシャフトの突端に連鎖ワイヤー連結フックが設けられ、ピストンＡ・Ｂは下死点に、ピストンＡ’・Ｂ’は上死点に位置している。
表層水取水＆加圧水送出シリンダーＡ及びＡ’の構造は、内径１２００ｍｍφ程高さ２ｍ程の円筒形で、底床中心部に３００ｍｍφ程の連鎖ワイヤー貫通のバカ穴が開いていて、上端部はフランジ継手が設けられ上蓋をボルトで結合されている。上蓋中心点に内径５０ｍｍφ程、長さ２００ｍｍ程のスライドシャフト貫通管が配設され、これを取り囲む様に，管径３００ｍｍφ程、長さ２００ｍｍ程の短管が４本程貫通配設されている。シリンダー内部に、ピストンが設けられているが、このピストン上面中心部に、外径５０ｍｍφ程、長さ３ｍ程のスライドシャフトが装着され、上蓋のスライドシャフト貫通管を通して、先端に連鎖ワイヤー連結フックが装着されており、更にこのピストン下面中心部に連鎖ワイヤー連結フックが装着されている。
深層水取水＆作用後送出シリンダーＢ及びＢ’の構造は、内径１５００ｍｍφ程、高さ２ｍ程で、底床中心部に３００ｍｍφ程の吸排気口のバカ穴が開いている。上端部はフランジ継手が設けられ、上蓋をボルトで結合されている。上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されている。シリンダー内部に、ピストンが設けられているが、このピストン上面中心部に、外径５０ｍｍφ程、長さ３ｍ程のスライドシャフトが装着され、上蓋のスライドシャフト貫通管を通して、先端に連鎖ワイヤー連結フックが装着されている。
圧縮空気発生装置は、自動開閉弁の駆動に供する圧縮空気を生み出す装置である。
大気吸入＆圧縮空気発生シリンダーＣ及びＣ’の２機一対と深層水取水＆作用後送出シリンダーＤ及びＤ’の２機一対とエアータンク数台及び連鎖ワイヤーとプーリーと２個一対のテンションプーリーを用いて構成されている。
圧縮空気発生装置は、水槽から数メートル離れた所に、地上より水槽と並立に立ち上がっている。プーリーは外径３００ｍｍφ程で、地上より１９ｍ程の高さにあり、このプーリーの垂線下１ｍ程の左右に、８５０ｍｍ程ずつ振り分けられた所に、外径１００ｍｍφ程のテンションプーリーが水平に相対して１７００ｍｍ程の離隔を設けて配置されている。プーリーに懸架された連鎖ワイヤーは、裾広がりに下降して、テンションプーリーを経由し、そこから垂直降下して、大気吸入＆圧縮空気発生ピストンＣ及びＣ’から伸びたスライドシャフト先端の連結フックにそれぞれ連結され、更にこのピストン下面中心部の連鎖ワイヤー連結フックに連結された連鎖ワイヤーは下方の深層水取水＆作用後送出ピストンＤ・Ｄ’の連結フックに、それぞれ連鎖連結される。
テンションプーリーから約３ｍ下方位置に大気吸入＆圧縮空気発生シリンダーが一対的に設置され、大気吸入＆圧縮空気発生シリンダーの垂直下の地上に深層水取水＆作用後送出シリンダーが一対的に設置される。それぞれのシリンダーに内設されたピストンの真ん中からは、スライドシャフトが真上に伸びて、ピストンがシリンダーの底に着いた時に、スライドシャフトの頭がシリンダーの上蓋の外に少し突き出る状体になる。このスライドシャフトの突端に連結フックが設けられ、ピストンＣ・Ｄは下死点にピストンＣ’・Ｄ’は上死点に位置している。
大気吸入＆圧縮空気発生シリンダーＣ及びＣ’の構造は、内径１２００ｍｍφ程・高さ２ｍ程の円筒形で、底床中心部に３００ｍｍφ程の連鎖ワイヤー貫通のバカ穴が開いていて、上端部はフランジ継手が設けられ上蓋をボルトで結合されている。上蓋中心点に内径５０ｍｍφ程、長さ２００ｍｍ程のスライドシャフト貫通管が配設され、スライドシャフト貫通管を挟んだ両側に，管径１００ｍｍφ程、長さ２００ｍｍ程の短管が２本程貫通配設されている。シリンダー内部に、ピストンが設けられているが、このピストン上面中心部に、外径５０ｍｍφ程、長さ３ｍ程のスライドシャフトが装着され、上蓋のスライドシャフト貫通管を通して、先端に連鎖ワイヤー連結フックが装着されており、又更にこのピストン下面中心部に連鎖ワイヤー連結フックが装着されている。深層水取水＆作用後送出シリンダーＤ及びＤ’の構造は内径１５００ｍｍφ程高さ２ｍ程で底床中心部に３００ｍｍφ程の吸排気口のバカ穴が開いていて、上端部はフランジ継手が設けられ上蓋をボルトで結合されている。上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されている。シリンダー内部に、ピストンが設けられているが、このピストン上面中心点に、外径５０ｍｍφ程、長さ３ｍ程のスライドシャフトが装着され、上蓋のスライドシャフト貫通管を通して、突端に連鎖ワイヤー連結フックが装着されている。
エアータンクの設置場所は、水槽から数メートル離れた所で、地上より１３ｍ程上方に数台直立に設置され、構造はタンク径６００ｍｍφ程高さ２ｍ程で頭頂部はドーム状を成し、頭頂中心点に１００ｍｍφ程長さ２００ｍｍ程の短管を配設し、この短管に、手動開閉弁・自動開閉弁を介して大気取り込み＆圧縮空気発生シリンダー及び圧縮空気送気管に配管接続され、底床は頭頂部と同様に下方に膨らむドーム状を成し、低床中心点に１００ｍｍφ程長さ２００ｍｍ程の短管を配設し、この短管は手動開閉弁・自動開閉弁を介して深層水集合貯留分岐管に配管接続されている。エアータンクは、このような位置にあることによって圧縮空気を貯留するだけでなく、多数の自動操作弁の作用駆動に際し、エアータンク内の圧縮空気の減圧減量に同調し、深層水を低床側の短管より追随供給し、水圧と圧縮空気圧の拮抗を保持することで、空気圧を安定に保つ役割を果たす。
環流水送水装置は、環流水取水＆放出送水シリンダーＥ及びＥ’と深層水取水＆作用後送出シリンダーＦ及びＦ’の２機一対と、連鎖ワイヤーと、プーリーと、２個一対のテンションプーリーから構成されている。
環流水送水装置は、水槽から数メートル離れた所に、地上より水槽と並立に立ち上がっている。プーリーは外径３００ｍｍφ程で、地上より１１ｍ程の高さにあり、このプーリーの垂線下１ｍ程の左右に８５０ｍｍ程ずつ振り分けられ、外径１００ｍｍφ程のテンションプーリーが水平に相対して１７００ｍｍ程の離隔を設けて配置され、プーリーに懸架された連鎖ワイヤーは、裾広がりに下降して、テンションプーリーを経由し、そこから垂直降下して、環流水取水圧送ピストンＥ・Ｅ’から伸びたスライドシャフト先端の連結フックにそれぞれ連結され、更にこのピストン下面中心部の連鎖ワイヤー連結フックに連結された連鎖ワイヤーは、下方の深層水取水＆作用後送出ピストンＦ及びＦ’の連結フックに、それぞれ連鎖連結される。テンションプーリーから３ｍ程下方位置に環流水取水＆圧送シリンダーが一対的に設置され、貯留環流水取水＆圧送シリンダーの垂直下の地上に深層水取水＆作用後送出シリンダーが一対的に設置される。
それぞれのシリンダーに内設されたピストンの真ん中からは、スライドシャフトが真上に伸びて、ピストンがシリンダーの底に着いた時に、スライドシャフトの頭がシリンダーの上蓋のスライドシャフト貫通管より少し突き出る状体になる。このスライドシャフトの突端に連結フックが設けられ、ピストンＥ・Ｆは下死点に、ピストンＥ’・Ｆ’は上死点に位置している。
貯留環流水取水＆圧送シリンダーＥ及びＥ’の構造は、内径１５００ｍｍφ程、高さ２ｍ程で底床中心部に３００ｍｍφ程の連鎖ワイヤー貫通のバカ穴が開いていて、上端部はフランジ継手が設けられ上蓋をボルトで結合されている。上蓋中心点に内径５０ｍｍφ程、長さ２００ｍｍのスライドシャフト貫通管が配設され、スライドシャフト貫通管を囲んで、管径３００ｍｍφ程、長さ２００ｍｍ程の短管が６本程貫通配設されている。シリンダー内部に、ピストンが設けられているが、ピストン上面中心部に、外径５０ｍｍφ程、長さ３ｍ程のスライドシャフトが装着され、上蓋のスライドシャフト貫通管を通して、突端に連鎖ワイヤー連結フックが装着されている。又更にこのピストン下面中心部に連鎖ワイヤー連結フックが装着されている。深層水取水＆深層水作用後送出シリンダーＦ及びＦ’の構造は内径１５００ｍｍφ程高さ２ｍ程で底床中心部に３００ｍｍφ程の吸排気口のバカ穴が開いていて、上端部はフランジ継手が設けられ上蓋をボルトで結合されている。上蓋中心点に内径５０ｍｍφ程、長さ２００ｍｍ程のスライドシャフト貫通管が配設され、これを取り囲む様に，管径３００ｍｍφ程、長さ２００ｍｍ程の短管が６本程貫通配設されている。シリンダー内部に、ピストンが設けられているが、このピストン上面中心点に、外径５０ｍｍφ程、長さ３ｍ程のスライドシャフトが装着され、上蓋のスライドシャフト貫通管を通して、先端に連鎖ワイヤー連結フックが装着されている。
このように構成される環流水送水装置の中で、加圧水発生装置及び圧縮空気発生装置の駆動の為、水槽内の深層水を取水し、この水圧を利用した作用後の深層水を再び水槽内に戻す装置であるが、加圧水発生装置及び圧縮空気発生装置で利用した作用後の深層水は環流水集合貯留分岐管を経由して環流水取水＆圧送シリンダー内に取り込み、取り込み終了後、水槽上部の環流水放出管を経て水槽に戻される。この環流水送水装置の駆動に利用した深層水も作用後、同時に環流水集合貯留分岐管を経由せず、直接深層水作用後環流水放出管を経て水槽に戻される。
以上を特徴とする浮沈体式動力発生装置である。
【発明の効果】
【０００５】  主装置の水槽と浮沈体で構成した主装置を、１０組、１０編成構築しても、浮沈速度が毎秒数センチメートルである為、加圧水発生装置・圧縮空気発生装置・環流水送水装置は、主装置１０機１組分だけ装備すればよく、全ての組ごとに併機併設する必要はない。
このような浮沈体式動力発生装置で有るため、さほど敷地面積を必要とせず、施設全てを収容出来れば、山間でも、工業団地内でも、街中でもと、場所を選ばず構築でき化石燃料も必要とせず、公害問題は皆無であり、全天候型であり、２４時間継続運転ができ、安全面でも何の不安もないため、維持管理も少人数で済み、集中点検の必要もなく、個々の備品の制作においても大半は、気密保持ができ、漏えい、漏水が発生しない程度の技術水準で製作できるので、従来の町工場で十分対応できる。
【図面の簡単な説明】
【０００６】
【図１】  本発明の主装置部分を成す浮沈体・水槽・受動伝動輪と各配管の概要配管構成断面図
【図２】  本発明の主装置部分の一部である浮沈体の沈下下死点位置と各配管の概要配管構成断面図
【図３】  本発明の主装置部分の一部である浮沈体の浮上上死点位置と各配管の概要配管構成断面図
【図４】  本発明の主装置部分の一部である加圧水発生装置と各配管の概要配管構成断面図
【図５】  本発明の主装置部分の一部である圧縮空気発生装置と各配管の概要配管構成断面図
【図６】  本発明の主装置部分の一部である環流水送水装置と各配管の概要配管構成断面図
【図７】  本発明の主装置部分の一部を成す浮沈体の図１に示される状体との入れ替りと水槽、受動伝動輪、及び各配管の概要配管構成断面図
【図８】  図２における浮沈体ａが上死点位置に浮上移動した状態と各配管の概要配管構成断面図
【図９】  図３における浮沈体ｂが下死点位置に沈降した状態と各配管の概要配管構成断面図
【図１０】  図４におけるピストンの入れ替わり状態と各配管の概要配管構成断面図
【図１１】  図５におけるピストンの入れ替わり状態と各配管の概要配管構成断面図
【図１２】  図６におけるピストンの入れ替わり状態と各配管の概要配管構成断面図
【発明を実地するための形態】
【０００７】  以下、本発明の実施の形態を説明する。
同一敷地内に初動の為と、保守の為の装備品とし、井戸を敷設、又は市水水道管を引き込んであり、加圧ポンプが併設されている。又油圧ポンプ及び制御用電磁弁と電気系統の制御盤を備えてある。また自動開閉弁の駆動に供する初動の為と，保守の為の空気源を充填するエアーコンプレッサーで、吐出圧４ｋｇ／ｃｍ２用と、浮沈体の初動の為、即ち環流空気源の充填用に吐出圧５ｋｇ／ｃｍ２の二種類を装備してあり、自動開閉弁の制御盤も配設されている。
先ず油圧ポンプのホースを油送管に接続し、油圧ポンプ起動させ、主装置の１組目・２組目・３組目・・・・・の全主装置のブレーキ制動装置（８０）を駆動し、受動伝動輪（１９０）を止めておく。次に保守用手動開閉弁［図１］［図２］［図３］の３・１１・３１・４５・５０・５２・５５・６２を全開にし、更に、［図４］の１００・１０２・１１１・１１３・１２０・１２２・１２５・１２７を全開にし、又、［図５］の、１３３・１３５・１３７・１４１・１４３・１５０・１５２・１５７・１５９・１６１・１６３を全開にし、又更に［図６］の１６８・１７０・１７５・１７７・１８２・１８４・１８６・１８８を全開にし、［図１］［図２］［図３］の手動開閉弁（３）を除く全ての保守用手動開閉弁は、以後常時開に設定しておく。
次に用水を供給するのであるが、敷設井戸又は市水水道管を、揚程を確保する為、加圧ポンプを介して、井戸又は市水水道管を、［図５］の井水又は市水供給用配管継手（１５３）に配管接続し、用水を供給する。［図１］の表層水取水管（１０）以上水位が上昇したら、表層水集合貯留分岐管（１５）に貯留される。［図５］の深層水取水緊急遮断用自動開閉弁（１５１）を「手動」で僅か開け、エアータンク（１４６）に装備された水位確認管で、エアータンク（１４６）の低床面の空気圧＆水圧拮抗水面（１４８）まで用水が上昇したら、深層水取水緊急遮断用自動開閉弁（１５１）を「手動」で閉鎖する。そこで吐出圧４ｋｇ／ｃｍ２程に設定した自動開閉弁空気源用エアーコンプレッサーからのエアーホース（１Ｌ）を閉鎖弁付ホース継手（２Ｌ）に接続し、エアーコンプレッサーを起動し、自動開閉弁空気源送気緊急遮断用自動開閉弁（１３８）を「手動」で全開にする。自動開閉弁空気源送気管（１３９）及びエアータンク（１４６）に空気圧４ｋｇ／ｃｍ２程で充填し、完了後、操作盤にて深層水取水緊急遮断用自動開閉弁（１５１）を全開にする。エアータンク（１４６）の設置位置が地上より１３ｍの位置即ち水槽最深部より１０ｍ上方にあるため、水圧は４ｋｇ／ｃｍ２程であり空気圧＆水圧拮抗水面（１４８）は保持されている。この準備で自動開閉弁は、電気系統の指令で、制御可能となる。そこで制御操作で圧縮空気送気自動開閉弁（１３６）を僅かに開け大気吸入＆圧縮空気発生シリンダー（１６６Ｃ）内に充填し圧縮空気送気自動開閉弁（１３６）を閉鎖する。
次に油圧回路を制御し、［図３］の環流空気受空閉鎖弁付圧接ソケット操作装置ｂ（９５）内の油圧シリンダーを作動させ、環流空気受空閉鎖弁付圧接ソケット接合部（９４Ａ’）を押し出し環流空気送気閉鎖弁付圧接プラグ圧接接合部（９４Ａ）との両面の圧接面同旨を圧接密着させて置く。
次に環流空気源用エアーコンプレッサーの吐出圧５ｋｇ／ｃｍ２に設定し、環流空気の基である圧縮空気を充填するのであるが、［図１・２・３］の、環流空気源用エアーホース（１）を閉鎖弁付ホース継手（２）に接続して、環流空気源用のコンプレッサーを起動し、［図１］［図２］［図３］の環流空気送気管（８）及び、環流空気集合貯留浮分岐管（７）内に充填し、更に沈体ｂ（５９）内に５ｋｇ／ｃｍ２の圧縮空気を充填し、充填終了後環流空気受空閉鎖弁付圧接ソケット操作装置ｂ（９５）内の油圧シリンダーを解放し、環流空気受空閉鎖弁付圧接ソケット接合部（９４Ａ’）を引っ込め環流空気送気閉鎖弁付圧接プラグ圧接接合部（９４Ａ）を引き離し、圧接を解除する。外部圧縮空気取り入れ保守用手動開閉弁（３）を閉鎖しここでこの外部圧縮空気取り入れ保守用手動開閉弁（３）のみ常時閉とする。
これで圧縮空気の充填は完了する。
次に、［図４］の、表層水取水自動開閉弁（１０１）を制御し僅かに開け、［図１］の、表層水集合貯留分岐管（１５）より表層水取水送水管（１８）を経て、［図４］の、表層水取水＆加圧水送出短管（１０４Ａ）より表層水取水＆加圧水送出シリンダー（１０７Ａ）内に表層水取水＆加圧水送出ピストン（１０９Ａ）が下死点にある位置で満水にし、加圧水送水自動開閉弁（１０３）を全開にし、［図１］のエアー抜き手動開閉弁（６９Ａ）を開き、加圧水送水管（６８）を経て一時加圧水集合貯留分岐管（６５）内に用水を満たす。終了後エアー抜き手動開閉弁（６９Ａ）を閉鎖し、［図４］の、表層水取水自動開閉弁（１０１）と加圧水送水自動開閉弁（１０３）を閉鎖する。
次に［図４］の深層水取水自動開閉弁（１１２）を制御して僅かに開け、［図１］の深層水集合貯留分岐管（４０）より深層水送水管（４４）を経て、［図４］の深層水取水作用後送出短管（１１５Ｂ）より深層水取水＆作用後送出シリンダー（１１７Ｂ）内を満水にし、深層水作用後送水自動開閉弁（１１４）を開け、環流水一時貯留送水管（３８）経て［図１］の還流水集合貯留分岐管（３６）内に、８０％程用水を満たし、深層水作用後送水自動開閉弁（１１４）と深層水取水自動開閉弁（１１２）を閉鎖する。
次に［図５］の深層水取水自動開閉弁（１４２）を制御し僅か開け、［図１］の深層水集合貯留分岐管（４０）より深層水送水管（４４）を経て、［図５］の深層水取水作用後送出短管（１５４Ｄ）より深層水取水＆作用後送出シリンダー（１５５Ｄ）内を満水にし、終了後深層水取水自動開閉弁（１４２）を閉鎖する。
次に［図６］の、深層水取水自動開閉弁（１７６）を制御し僅かに開け、［図１］の深層水集合貯留分岐管（４０）より深層水送水管（４４）を経て、［図６］の深層水取水作用後送出短管（１７９Ｆ）より深層水取水＆作用後送出シリンダー（１８０Ｆ）内を満水にし、深層水作用後放出送水自動開閉弁（１７８）を全開にし、深層水作用後環流水放出送水管（３３）内に［図１］の水槽（１２）の用水水面（７３）と同一レベルまで水を満たし、終了後［図６］の深層水取水自動開閉弁（１７６）を閉鎖する。次に環流水取水自動開閉弁（１６９）を開け、［図１］の環流水集合貯留分岐管（３６）より貯留環流水送水管（３９）を経て［図６］の環流水取水＆放出短管（１７２Ｅ）より環流水取水＆放出送水シリンダー（１７３Ｅ）内を満水にする。
これで用水の供給は終了し、すべての装置の駆働が可能となる。
そこで、次に自動開閉弁の制御によるピストンの動作と、深層水の受圧状況、加圧水の流れ方向、圧縮空気発生状況及び流れ方向、又環流水の流れを説明するが、主装置［図１］のブレーキ制動装置（８０）は１組目・２組目・３組目・・・組目共に駆動したままで、受動伝動輪（い）を留め置き、まず１組目の主装置を稼働させる為［図３］の圧接ソケット操作機構（８８）に組み込まれた加圧水送水閉鎖弁付圧接ソケット操作装置ｂ（９２）と、環流空気閉鎖弁付圧接ソケット操作装置ｂ（９５）内の油圧シリンダーを作動させ、加圧水送水閉鎖弁付圧接ソケット圧接接合部（９３Ｂ’）と、加圧水送水閉鎖弁付圧接プラグ圧接接合部（９３Ｂ）の、圧接面同旨を圧接密着させ、更に環流空気受空閉鎖弁付圧接ソケット圧接接合部（９４Ａ’）と、環流空気送気閉鎖弁付圧接プラグ圧接接合部（９４Ａ）の圧接面同旨を、圧接密着させることで閉鎖弁が開き、ソケットとプラグの流路が出来る。
そこで圧接ソケット操作機構の圧接設定終了後、自動開閉弁の一部である次の自動開閉弁を、全開とする制御をおこなう。
［図１］の環流空気送気自動開閉弁（４６）・［図４］の加圧水送水自動開閉弁ａ（１０３）・深層水作用後送水自動開閉弁ａ（１１４）・深層水取水自動開閉弁ｂ（１２３）・表層水取水自動開閉弁（１２８）・［図５］の圧縮空気送気自動開閉弁（１３６）・大気吸入自動開閉弁（１６４）・深層水作用後送水自動開閉弁（１４４）・深層水取水自動開閉弁（１６０）を開け、自動開閉弁空気源送気緊急遮断用自動開閉弁（１３８）・深層水取水緊急遮断用自動開閉弁（１５１）を開けるが、自動開閉弁空気源送気緊急遮断用自動開閉弁（１３８）・深層水取水緊急遮断用自動開閉弁（１５１）は、以後常時開にして置く。［図６］の環流放出送水自動開閉弁（１７１）・深層水作用後放出送水自動開閉弁（１７８）・環流水取水自動開閉弁（１８９）・深層水取水自動開閉弁（１８５）を全開にする。
水の流れ、空気の流れは、加圧水発生装置［図４］の圧縮空気発生装置［図５］環流水送水装置［図６］のピストンの動きは、同時に始動し、水・空気も流動を始める。
先ず加圧水発生装置［図４］の水の流れ、ピストンの連動行程であるが、［図１］の深層水集合貯留分岐管（４０）より、６系統の深層水送水管（４４）を経て、［図４］の、深層水取水作用後送出短管（１１５Ｂ’）６本から、深層水取水＆作用後送出シリンダー（１１７Ｂ’）内に、深層水を取り込むことで、深層水取水＆作用後送出ピストン（１１８Ｂ’）を押し下げ、この水圧エネルギーによって、スライドシャフト（１０６）と共に連鎖ワイヤー（９８）によって、表層水取水＆加圧水送出ピストン（１０９Ａ’）が引き下げられ、それに伴って［図１］の表層水集合貯留分岐管（１５）より４系統の表層水取水送水管（１８）を経て、［図４］の表層水取水＆加圧水送出短管（１０４Ａ’）４本から、表層水が表層水取水＆加圧水送出シリンダー（１０７Ａ’）内に取り込まれる。更にスライドシャフ（１０６）は引き下げられプーリー（９７）に懸架された連鎖ワイヤー（９８）によって、スライドシャフト（１０６）は、引き上げられ、連なって表層水取水＆加圧水送出ピストン（１０９Ａ）が上昇するが、この時表層水（１０８）は圧縮され加圧水となり、表層水取水＆加圧水送出短管（１０４Ａ）４本より、４系統の加圧水送水管（６８）を経て、［図１］の、一次加圧水集合貯留分岐管（６５）を通り、加圧水送水逆止弁（６３）を押し開き、二次加圧水集合貯留分岐管（６９）を経て、加圧水送水可撓管（７２）を通り、［図３］の、加圧水送水閉鎖弁付圧接ソケット圧接接合部（９３Ｂ’）から、加圧水受水閉鎖弁付圧接プラグ接合部（９３Ｂ）を経て、浮沈体（５９）内に圧入される。圧入された加圧水は環流空気（６１）の空気圧より高い水圧であり、環流空気は圧縮され同圧以上に高められた環流空気は、［図１］の水槽ａ（１２）の最深部の水圧より高められ、［図３］の環流空気送気閉鎖弁付圧接プラグ圧接接合部（９４Ａ）より、環流空気受空閉鎖弁付圧接ソケット圧接接合部（９４Ａ’）を経て、［図１］の環流空気送気逆止弁（５１）を押し開き環流空気送気吐出管ａ（４８）より水槽ａ（１２）内に放出される。放出された環流空気（６１）は、吐出環流空気補足部（４７）で補足され、環流空気流入＆加圧水流出管（４９）を経て、環流空気流入＆加圧水流出逆止弁（２９）を押し開き、浮沈体ａ（２７）に取り込まれるが、この時、浮沈体内の加圧水（２８）は、環流空気（６１）と入れ替わる様に、環流空気流入＆加圧水流出逆止弁（２９）から環流空気流入＆加圧水流出管（４９）より水槽（１２）内に用水（１３）となって放出される。
更に［図４］の表層水取水＆加圧水送出ピストン（１０９Ａ）が上昇すると共に、連鎖ワイヤー（９８）スライドシャフト（１０６）が引き上げられ、深層水取水＆作用後送出ピストン（１１８Ｂ）は上昇し深層水取水＆作用後送出シリンダー（１１７Ｂ）内の深層水（１１６）は、深層水取水＆作用後送出短管（１１５Ｂ）６本から環流水となって送出され、環流水一時貯留送水管（３８）を経て［図１］の環流水集合貯留分岐管（３６）を経由して、貯留環流水送水管（３９）の４系統を経て、［図６］の環流水取水＆放出送水短管（１７２Ｅ’）４本より、環流水取水＆放出送水シリンダー（１７３Ｅ’）内に取り込まれる。
加圧水発生装置［図４］の動作中に駆動していた［図５］の圧縮空気発生装置及び［図６］の還流水送水装置の動作を説明する。
まず［図５］の圧縮空気発生装置であるが、［図１］の深層水集合貯留分岐管（４０）より、深層水送水管（４４）の６系統を経て、［図５］の深層水取水＆作用後送出短管（１５４Ｄ’）６本より深層水取水＆作用後送出シリンダー（１５５Ｄ’）内に取り込まれる。この時この水圧エネルギーによって、深層水取水＆作用後送出ピストン（１５６Ｄ’）を押し下げ、スライドシャフト（１０６）と共に連鎖ワイヤー（９８）によって、大気吸入＆大気圧縮ピストン（１６７Ｃ’）が引き下げられ、それに伴って、大気吸入フィルター付きホッパー（１３２）より、大気を吸引し、大気吸入＆圧縮空気送出短管（１４０Ｃ’）２本より、大気吸入＆圧縮空気発生シリンダー（１６６Ｃ’）内に取り込まれる。更にスライドシャフト（１０６）と共に連鎖ワイヤー（９８）も引き下げられプーリー（９７）に懸架された連鎖ワイヤー（９８）によっ、スライドシャフ（１０６）は、引き上げられ、連なって大気吸入＆大気圧縮ピストン（１６７Ｃ）は上昇するが、大気吸入＆圧縮空気発生シリンダー（１６６Ｃ）内の吸入大気（１６５）は圧縮空気送気自動開閉弁（１３６）の開によってすでにエアータンク（１４６）内の空気圧＆水圧拮抗水面（１４８）は上昇し、圧縮空気（１４７）の逆流により吸入大気（１６５）と混合され、４ｋｇ／ｃｍ２程になっているが、この圧縮空気を圧縮しつつ上昇し、４ｋｇ／ｃｍ２以上に加圧されると、大気吸入＆圧縮空気送出短管（１４０Ｃ）２本より送出され、エアータンク（１４６）に取り込まれ、空気圧＆水圧拮抗水面（１４８）を押し戻し、自動開閉弁空気源送気管（１３９）を経て各自動開閉弁へと送気される。
更に深層水取水＆作用後送出ピストン（１５６Ｄ）は引き上げられ、深層水取水＆作用後送出シリンダー（１５５Ｄ）内の深層水（１１６）は環流水となって、深層水取水＆作用後送出短管（１５４Ｄ）６本より送出し、環流水一時貯留送水管（３８）６系統を経て、［図１］の、環流水集合貯留分岐管（３６）を経由して、貯留環流水送水管（３９）４系統を経て、［図６］の環流水取水＆放出短管（１７２Ｅ’）４本より環流水取水＆放出送水シリンダー（１７３Ｅ’）内に取り込まれる。
環流水送水装置［図６］の動作は、［図１］の深層水集合貯留分岐管（４０）より、深層水送水管（４４）６系統を経て、深層水取水＆放出送水短管（１７９Ｆ’）６本より深層水を取り込み、深層水取水＆放出送水ピストン（１８１Ｆ’）を押し下げ、スライドシャフト（１０６）と共に連鎖ワイヤー（９８）にて環流水圧送ピストン（１７４Ｅ’）は、引き下げられ、加圧水発生装置［図４］・圧縮空気発生装置［図５］で作用した深層水が環流水となって集合した［図１］の貯留環流水（３５）が、貯留環流水送水管（３９）６系統を経て、環流水取水＆放出短管（１７２Ｅ’）４本より環流水取水＆放出送水シリンダー（１７３Ｅ’）内に取り込まれる。更にスライドシャフト（１０６）と共に連鎖ワイヤー（９８）にて引き下げられ、プーリー（９７）に懸架された連鎖ワイヤー（９８）によっ、スライドシャフト（１０６）は、引き上げられ、連なって環流水圧送ピストン（１７４Ｅ）は引き上げられ環流水取水＆放出送水シリンダー（１７３Ｅ）内の環流貯留水（３５）は環流水取水＆放出短管（１７２Ｅ）２本より環流水放出送水管（３２）２系統を経て［図１］の還流水放出管（９）より水槽（１２）内に放出され更に、連鎖ワイヤー（９８）スライドシャフト（１０６）は引き上げら深層水取水＆放出送水ピストン（１８１Ｆ）も共に引き上げられるが、深層水取水＆放出送水短管（１７９Ｆ）２本より深層水作用後環流水放出送水管（３３）２系統を経て、［図１］の水槽ａ（１２）の還流水放出管（９）より水槽（１２）内に放出され用水は一巡する。
これで加圧水発生装置［図４］の表層水取水＆加圧水送出ピストン（１０９Ａ）及び深層水取水＆作用後送出ピストン（１１８Ｂ）又、［図５］の大気吸入＆大気圧縮ピストン（１６７Ｃ）及び深層水取水＆作用後送出ピストン（１５６Ｄ）又、［図６］の環流水取水圧送ピストン（１７４）及び深層水取水＆放出送水ピストン（１８１Ｆ）は、それぞれ上死点に到達したら、［図１］の環流空気送気自動開閉弁（４６）・［図４］の加圧水送水自動開閉弁ａ（１０３）・深層水作用後送水自動開閉弁ａ（１１４）・深層水取水自動開閉弁ｂ（１２３）・表層水取水自動開閉弁（１２８）・［図５］の圧縮空気送気自動開閉弁（１３６）・大気吸入自動開閉弁（１６４）・深層水作用後送水自動開閉弁（１４４）・深層水取水自動開閉弁（１６０）を開け、自動開閉弁空気源送気緊急遮断用自動開閉弁（１３８）・深層水取水緊急遮断用自動開閉弁（１５１）を開けるが、自動開閉弁空気源送気緊急遮断用自動開閉弁（１３８）・深層水取水緊急遮断用自動開閉弁（１５１）は、以後常時開にして置く。［図６］の環流放出送水自動開閉弁（１７１）・深層水作用後放出送水自動開閉弁（１７８）・環流水取水自動開閉弁（１８９）・深層水取水自動開閉弁（１８５）を全閉に切り替える。
ここで各々のピストンが各死点に到達後、［図３］の圧接ソケット操作機構（８８）に組み込まれた加圧水送水閉鎖弁付圧接ソケット操作装置ｂ（９２）の、油圧回路を制御し、油圧シリンダーを作動させ、加圧水送水閉鎖弁付圧接ソケット圧接接合部（９３Ｂ’）と加圧水送水閉鎖弁付圧接プラグ圧接接合部（９３Ｂ）の、圧接面同旨を圧接密着させていた圧接接合部を引き離し、更に環流空気受空閉鎖弁ソケット操作装置ｂ（９５）内の油圧シリンダーを作動させ、環流空気送気閉鎖弁付圧接ソケット圧接接合部（９４Ａ’）と、環流空気送気閉鎖弁付圧接プラグ圧接接合部（９４Ａ）の圧接面同旨を引き離し終了後［図１］のブレーキ制動装置（８０）を解除解放する。
これで一組目の（図１）の主装置であるところの浮沈体ｂ（５９）は、沈下を始め、軽くなった浮沈体ａ（２７）は、連鎖チエーン（７５）により引き上げられるように浮上し、出力伝導スプロケット（７８）より増速機を介して毎分８００〜１２００回転で発電機を駆動し、最大限発電量を生み出し且消費し、浮沈体の浮沈速度を、毎秒数センチとなる様、発電による負荷をかける。
次に２組目の主装置を稼働させるのであるが、主装置であるところの浮沈体の位置関係は１組目と同一の［図１］の状体に留め置かれているので、［図２］［図３］においても変わらない。
加圧水発生装置［図１０］及び圧縮空気発生装置［図１１］及び環流水送水装置［図１２］のピストンの位置関係は、１組目、即ち［図４］、［図５］、［図６］における始動位置と入れ替わっている。
まず２組目の［図３］の圧接ソケット操作機構（８８）に組み込まれた加圧水送水閉鎖弁付圧接ソケット操作装置ｂ（９２）と、環流空気閉鎖弁付圧接ソケット操作装置ｂ（９５）内の油圧シリンダーを作動させ、加圧水送水閉鎖弁付圧接ソケット圧接接合部（９３Ｂ’）と、加圧水送水閉鎖弁付圧接プラグ圧接接合部（９３Ｂ）の、圧接面同旨を圧接密着させ、更に環流空気受空閉鎖弁付圧接ソケット圧接接合部（９４Ａ’）と、環流空気送気閉鎖弁付圧接プラグ圧接接合部（９４Ａ）の圧接面同旨を、圧接密着させる。
そこで、圧接ソケット操作機構の圧接設定終了後、反転動作であるところの、加圧水発生装置［図１０］及び圧縮空気発生装置［図１１］及び環流水送水装置［図１２］の要所の自動開閉弁を全開とする制御をおこなう。
反転時の深層水の受圧状況、加圧水の流れ方向、圧縮空気発生状況及び流れ方向、又環流水の流れを説明する。
圧接密着終了後、所要の自動開閉弁を全開にする制御で、［図１］環流空気送気自動開閉弁（４６）・［図１０］加圧水送水自動開閉弁ａ（１２６）・深層水作用後送水自動開閉弁ａ（１２１）・深層水取水自動開閉弁ｂ（１１２）・表層水取水自動開閉弁（１０１）・［図１１］圧縮空気送気自動開閉弁（１６２）・大気吸入自動開閉弁（１３４）・深層水取水自動開閉弁（１４２）・深層水作用後送出送水自動開閉弁（１５８）を開け、自動開閉弁空気源送気緊急遮断用自動開閉弁（１３８）・深層水取水緊急遮断用自動開閉弁（１５１）は、常時開になっている。［図１２］環流水取水自動開閉弁（１６９）・深層水取水自動開閉弁（１７６）・環流水放出送水自動開閉弁（１８７）・深層水作用後放出送水自動開閉弁（１８３）を全開にする。
水の流れ、空気の流れは、加圧水発生装置［図１０］圧縮空気発生装置［図１１］環流水送水装置［図１２］のピストンの動きと連動し、同時進行で流動するが、その工程を説明する。
先ず加圧水発生装置［図１０］の動作であるが、［図１］の深層水集合貯留分岐管（４０）より、６系統の深層水送水管（４４）を経て、［図１０］の、深層水取水作用後送出短管（１１５Ｂ）６本から、深層水取水＆作用後送出シリンダー（１１７Ｂ）内に、深層水を取り込むことで、深層水取水＆作用後送出ピストン（１１８Ｂ）を押し下げ、この水圧エネルギーによって、スライドシャフト（１０６）と共に連鎖ワイヤー（９８）によって、表層水取水＆加圧水送出ピストン（１０９Ａ）が引き下げられ、それに伴って［図１］の表層水集合貯留分岐管（１５）より４系統の表層水取水送水管（１８）を経て、［図１０］の表層水取水＆加圧水送出短管（１０４Ａ）４本から、表層水が表層水取水＆加圧水送出シリンダー（１０７Ａ）内に取り込まれる。更にスライドシャフ（１０６）は引き下げられプーリー（９７）に懸架された連鎖ワイヤー（９８）によって、スライドシャフト（１０６）は、引き上げられ、連なって表層水取水＆加圧水送出ピストン（１０９Ａ’）が上昇するが、この時表層水（１０８）は圧縮され加圧水となり、表層水取水＆加圧水送出短管（１０４Ａ’）４本より、４系統の加圧水送水管（６８）を経て、［図１］の、一次加圧水集合貯留分岐管（６５）を通り、加圧水送水逆止弁（６３）を押し開き、二次加圧水集合貯留分岐管（６９）を経て、加圧水送水可撓管（７２）を通り、［図３］の、加圧水送水閉鎖弁付圧接ソケット圧接接合部（９３Ｂ’）から、加圧水受水閉鎖弁付圧接プラグ接合部（９３Ｂ）を経て、浮沈体（５９）内に圧入される。
圧入された加圧水は環流空気（６１）の空気圧より高い水圧であり、環流空気と同圧以上に高められた環流空気は、環流空気送気閉鎖弁付圧接プラグ圧接接合部（９４Ａ）より、環流空気受空閉鎖弁付圧接ソケット圧接接合部（９４Ａ’）を経て、［図２］の環流空気送気逆止弁（５１）を押し開き環流空気送気吐出管ａ（４８）より水槽ａ（１２）内に放出される。放出された環流空気は、吐出環流空気補足部（４７）で補足され、環流空気流入＆加圧水流出管（４９）を経て、環流空気流入＆加圧水流出逆止弁（２９）を押し開き、浮沈体ａ（２７）に取り込まれるが、この時、浮沈体内の加圧水（２８）は、環流空気と入れ替わる様に、環流空気流入＆加圧水流出逆止弁（２９）から環流空気流入＆加圧水流出管（４９）より水槽内に環流水となって放出される。
更に［図１０］の表層水取水＆加圧水送出ピストン（１０９Ａ’）が上昇と共に連鎖ワイヤー（９８）スライドシャフト（１０６）は、引き上げられ、深層水取水＆作用後送出ピストン（１１８Ｂ’）が上昇し深層水取水＆作用後送出シリンダー（１１７Ｂ’）内の深層水（１１６）は、深層水取水＆作用後送出短管（１１５Ｂ’）から環流水となって送出され、環流水一時貯留送水管（３８）を経て［図１］の環流水集合貯留分岐管（３６）を経由して、４系統の貯留環流水送水管（３９）を経て、［図１２］の環流水取水＆放出送水短管（１７２Ｅ’）より、環流水取水＆放出短管（１７２Ｅ’）４本より環流水取水＆放出送水シリンダー（１７３Ｅ）内に取り込まれる。
ここで、［図３］の、加圧水送水閉鎖弁付圧接ソケット操作装置ｂ（９２）及び環流空気受空閉鎖弁付圧接ソケット操作装置ｂ（９５）内の油圧シリンダーの油圧を解放し、ソケット及びプラグの圧接面を離し、終了後ブレーキ制動装置を解除解放する。
これで２組目の（図１）の主装置であるところの、浮沈体ｂ（５９）は、沈下を始め、軽くなった浮沈体ａ（２７）は、連鎖チエーン（７５）により引き上げられるように浮上する。
加圧水発生装置［図１０］の動作中に駆動していた［図１１］の圧縮空気発生装置及び［図１２］の還流水送水装置の動作を説明する。
まず［図１１］の圧縮空気発生装置であるが、［図１］の深層水集合貯留分岐管（４０）より、深層水送水管（４４）の６系統を経て、深層水取水＆作用後送出短管（１５４Ｄ）６本より深層水取水＆作用後送出シリンダー（１５５Ｄ）内に取り込まれる。この時この水圧エネルギーによって、深層水取水＆作用後送出ピストン（１５６Ｄ）を押し下げ、この水圧エネルギーによって、スライドシャフト（１０６）と共に連鎖ワイヤー（９８）によって、大気吸入＆大気圧縮ピストン（１６７Ｃ）は引き下げられ、それに伴って、大気吸入フィルター付きホッパー（１３２）より、大気が取り込まれ、大気吸入＆圧縮空気送出短管（１４０Ｃ）より、大気吸入＆圧縮空気発生シリンダー（１６６Ｃ）内に取り込まれる。更にスライドシャフト（１０６）と共に連鎖ワイヤー（９８）も引き下げられプーリー（９７）に懸架された連鎖ワイヤー（９８）によっ、スライドシャフト（１０６）は、引き上げられ、連なって大気吸入＆大気圧縮ピストン（１６７Ｃ’）は上昇するが、大気吸入＆圧縮空気発生シリンダー（１６６Ｃ’）内の吸入大気（１６５）は圧縮空気送気自動開閉弁（１３６）の開によってすでにエアータンク（１４６）内の空気圧＆水圧拮抗水面（１４８）は上昇し、圧縮空気（１４７）の逆流により吸入大気（１６５）と混同して、４ｋｇ／ｃｍ２程になっているが、この圧縮空気を圧縮しつつ上昇し、４ｋｇ／ｃｍ２以上に加圧されると、大気吸入＆圧縮空気送出短管（１４０Ｃ’）２本より送出され、エアータンク（１４６）に取り込まれ、空気圧＆水圧拮抗水面（１４８）を押し戻し、自動開閉弁空気源送気管（１３９）を経て各自動開閉弁へと送気される。更に深層水取水＆作用後送出ピストン（１５６Ｄ’）は引き上げられ、深層水取水＆作用後送出シリンダー（１５５Ｄ’）内の深層水（１１６）は環流水となって、深層水取水＆作用後送出短管（１５４Ｄ’）より送出し、環流水一時貯留送水管（３８）を経て、［図１］の、環流水集合貯留分岐管（３６）を経由して、貯留環流水送水管（３９）６系統を経て、［図１２］の環流水取水＆放出短管（１７２Ｅ）６本より環流水取水＆放出送水シリンダー（１７３Ｅ）内に取り込まれる。
環流水送水装置［図１２］の動作は、［図１］の深層水集合貯留分岐管（４０）より、深層水送水管（４４）６系統を経て、深層水取水＆放出送水短管（１７９Ｆ’）６本より深層水を取り込み、深層水取水＆放出送水ピストン（１８１Ｆ）を押し下げ、スライドシャフト（１０６）と共に連鎖ワイヤー（９８）にて環流水圧送ピストン（１７４Ｅ）は、引き下げられ、加圧水発生装置［図１０］・圧縮空気発生装置［図１１］で作用した深層水が、環流水となって集められた、［図１］の貯留環流水（３５）を、貯留環流水送水管（３９）４系統を経て、環流水取水＆放出短管（１７２Ｅ）４本より環流水取水＆放出送水シリンダー（１７３Ｅ）内に取り込まれる。更にスライドシャフト（１０６）と共に連鎖ワイヤー（９８）にて引き下げられ、プーリー（９７）に懸架された連鎖ワイヤー（９８）によっ、スライドシャフト（１０６）は、引き上げられ、連なって環流水圧送ピストン（１７４Ｅ’）は引き上げられ環流水取水＆放出送水シリンダー（１７３Ｅ’）内の環流貯留水（３５）は環流水取水＆放出短管（１７２Ｅ’）２本より環流水放出送水管（３２）２系統を経て［図１］の還流水放出管（９）より水槽（１２）内に放出され用水は一巡する。
この加圧水発生装置［図１０］のピストン（１０９Ａ’）・ピストン（１１８Ｂ’）・［図１１］のピストン（１６７Ｃ’）・ピストン（１５６Ｄ’）・［図１２］のピストン（１７４Ｅ’）・ピストン（１８１Ｆ’）のかくピストンが上死点に到達後［図３］の圧接ソケット操作機構（８８）に組み込まれた加圧水送水閉鎖弁付圧接ソケット操作装置ｂ（９２）の、油圧回路を制御し、油圧シリンダーを作動させ、加圧水送水閉鎖弁付圧接ソケット圧接接合部（９３Ｂ’）と加圧水送水閉鎖弁付圧接プラグ圧接接合部（９３Ｂ）の、圧接面同旨を圧接密着させていた圧接接合部を引き離し、更に環流空気受空閉鎖弁ソケット操作装置ｂ（９５）内の油圧シリンダーを作動させ、環流空気送気閉鎖弁付圧接ソケット圧接接合部（９４Ａ’）と、環流空気送気閉鎖弁付圧接プラグ圧接接合部（９４Ａ）の圧接面同旨を引き離し終了後［図１］のブレーキ制動装置（８０）を解除解放する。
これで２組目の（図１）の主装置であるところの、浮沈体ｂ（５９）は、沈下を始め、軽くなった浮沈体ａ（２７）は、連鎖チエーン（７５）により引き上げられるように浮上し、出力伝導スプロケット（７８）より増速機を介して毎分８００〜１２００回転で発電機を駆動し、最大限発電量を生み出し且送電し、浮沈体の浮沈速度を、毎秒数センチとなる様、発電による負荷を、かける。
１組目・２組目が浮沈稼働を続行しているが、続いて３組目・４組目・５組目の主装置であるところの浮沈体の浮沈稼働を促す操作を行うのであるが、３組目の操作は、１組目同様の加圧水発生装置・圧縮空気発生装置・環流水送水装置の各装置の制御で行い終了後、４組目へと移行し、４組目は２組目同様の操作手順で執り行い順次１組目及び２組目の操作の繰り返しで、１０組程の主装置であるところの浮沈体の浮沈を促す。
１組目の主装置であるところの浮沈体の位置関係が［図７］に移行する、即ち浮沈体ａ（２７）は最浮上位置上死点に到達後ブレーキ制動装置（８０）を駆動させ、加圧水発生装置・圧縮空気発生装置・環流水送水装置の各装置の制御で行い終了後、ブレーキ制動装置（８０）を解放するが、浮沈体ａ（２７）は順次［図７］に移行してくるが、その都度ブレーキ制動装置・加圧水発生装置・圧縮空気発生装置・環流水送水装置の各装置の制御を行い繰り返す。
【符号の説明】
【０００８】１        環流空気源用エアーホース
１Ｌ      自動開閉弁空気源用エアーホース
２        閉鎖弁付ホース継手
２Ｌ      閉鎖弁付ホース継手
３        保守用外部圧縮空気取り入れ保守用手動開閉弁
３Ｌ      保守用外部圧縮空気取り入れ保守用手動開閉弁
４        環流空気集合貯留空気
５        環流空気集合管
６        環流空気送気可撓管
７        環流空気集合貯留分岐管
８        環流空気送気管
９        環流水放出管
１０      表層水取水管
１１      表層水取水管保守用手動開閉弁
１２      水槽ａ
１３      用水
１４      短管Ａ
１５      表層水集合貯留分岐管
１６      貯留表層水
１７      短管Ｂ
１８      表層水取水送水管
１９      連鎖チエーン連結部ａ
２０      圧接プラグ装着体ａ
２１      加圧水流入室
２２      隔壁板
２３      残留有圧空気
２４      環流空気送気室
２５      フランジ継手
２６      加圧水満水水面
２７      浮沈体本体ａ
２８      加圧水
２９      環流空気流入＆加圧水流出逆止弁
３０      深層水取水管
３１      深層水取水保守用手動開閉弁
３２      環流水放出送水管
３３      深層水作用後環流水放出送水管
３４      フィルター付き吸排気ホッパー
３５      貯留環流水
３６      環流水集合貯留分岐管
３７      短管Ｃ
３８      環流水一時貯留送水管
３９      貯留環流水送水管
４０      深層水集合貯留分岐管
４１      短管Ｄ
４２      貯留深層水
４３      短管Ｅ
４４      深層水送水管
４５      環流空気送気自動開閉弁保守用手動開閉弁
４６      環流空気送気自動開閉弁
４７      吐出環流空気補足部
４８      環流空気放出吐出管ａ
４９      環流空気流入＆加圧水流出管
５０      環流空気送気管保守用手動開閉弁
５１      環流空気送気逆止弁
５２      環流空気送気自動開閉弁保守用手動開閉弁
５３      環流空気送気自動開閉弁
５４      環流空気吐出管
５５      環流空気送気管保守用手動開閉弁
５６      環流空気送気逆止弁
５７      水槽ｂ
５８      残留加圧水
５９      浮沈体本体ｂ
６０      残留加圧水水面
６１      環流空気
６２      加圧水送水逆止弁保守用手動開閉弁
６３      加圧水送水逆止弁
６４      短管Ｆ
６５      一次加圧水集合貯留分岐管
６６      一次貯留加圧水
６７      短管Ｇ
６８      加圧水送水管
６９      二次加圧水集合貯留分岐管
６９Ａ    エアー抜き手動開閉弁
７０      二次貯留加圧水
７１      加圧水送水分岐管
７２      加圧水送水可撓管
７３      用水水面
７４      連鎖チエーン連結部ｂ
７５      連鎖チエーン
７６      回転シャフト
７７      受動スプロケット
７８      出力伝動スプロケット
７９      ブレーキディスク
８０      ブレーキ制動装着
８１      圧接プラグ装着体ｂ
８２Ａ    環流空気送気閉鎖弁付圧接プラグ圧接接合部
８２Ａ’  環流空気受気閉鎖弁付圧接ソケット圧接接合部
８３Ａ    加圧水送水閉鎖弁付圧接プラグ圧接接合部
８３Ａ’  加圧水受水閉鎖弁付圧接ソケット圧接接合部
８４      加圧水送水分岐管
８５      加圧水送水可撓管
８６      加圧水送水可撓管及び油圧ホース貫通バカ穴ａ
８７      加圧水受水閉鎖弁付圧接ソケット操作装置ａ
８８      圧接ソケット装着操作機構
８９      環流空気受空閉鎖弁付圧接ソケット操作装置ａ
９０      環流空気送気可撓管及び油圧ホース貫通バカ穴ａ
９１      加圧水送水可撓管及び油圧ホース貫通バカ穴ｂ
９２      加圧水送水閉鎖弁付圧接ソケット操作装置ｂ
９３Ｂ    加圧水受水閉鎖弁付圧接プラグ圧接接合部
９３Ｂ’  加圧水送水閉鎖弁付圧接ソケット圧接接合部
９４Ａ    環流空気送気閉鎖弁付圧接プラグ圧接接合部
９４Ａ‘  環流空気受空閉鎖弁付圧接ソケット圧接接合部
９５      環流空気受空閉鎖弁付圧接ソケット操作装置ｂ
９６      環流空気送気可撓管及び油圧ホース貫通バカ穴
９７      プーリー
９８      連鎖ワイヤー
９９Ａ    テンションプーリー
９９Ｂ    テンションプーリー
１００    表層水取水自動開閉弁保守用手動開閉弁
１０１    表層水取水自動開閉弁
１０２    加圧水送水自動開閉弁保守用手動開閉弁
１０３    加圧水送水自動開閉弁
１０４Ａ  表層水取水＆加圧水送出短管
１０４Ａ’表層水取水＆加圧水送出短管
１０５    フランジ継手
１０６    スライドシャフト
１０７Ａ  表層水取水＆加圧送出シリンダー
１０７Ａ’表層水取水＆加圧送出シリンダー
１０８    表層水
１０９Ａ  表層水取水＆加圧送出ピストン
１０９Ａ’表層水取水＆加圧送出ピストン
１１０    連鎖ワイヤー貫通バカ穴
１１１    深層水取水自動開閉弁保守用手動開閉弁
１１２    深層水取水自動開閉弁
１１３    深層水作用後送出送水自動開閉弁保守用手動開閉弁
１１４    深層水作用後送出送水自動開閉弁
１１５Ｂ  深層水取水＆作用後送出短管
１１５Ｂ’深層水Ｂ取水＆作用後送出短管
１１６    深層水
１１７Ｂ  深層水取水＆作用後送出シリンダー
１１７Ｂ’深層水取水＆作用後送出シリンダー
１１８Ｂ  深層水取水＆作用後送出送水ピストン
１１８Ｂ’深層水取水＆作用後送出送水ピストン
１１９    給排気孔
１２０    深層水作用後送出送水自動開閉弁保守用手動開閉弁
１２１    深層水作用後送出送水自動開閉弁
１２２    深層水取水自動開閉弁保守用手動開閉弁
１２３    深層水取水自動開閉弁
１２４    連鎖ワイヤー連結フック
１２５    加圧水送出送水自動開閉弁保守用手動開閉弁
１２６    加圧水送出送水自動開閉弁
１２７    表層水取水自動開閉弁保守用手動開閉弁
１２８    表層水取水自動開閉弁
１２９    スライドシャフト貫通管
１３０    上蓋
１３１    大気吸入
１３２    大気吸入フィルター付きホッパー
１３３    大気吸入自動開閉弁保守用手動開閉弁
１３４    大気吸入自動開閉弁
１３５    圧縮空気送気自動開閉弁保守用手動開閉弁
１３６    圧縮空気送気自動開閉弁
１３７    自動開閉弁空気源送気緊急遮断用自動開閉弁保守用手動開閉弁
１３８    自動開閉弁空気源送気緊急遮断用自動開閉弁
１３９    自動開閉弁空気源送気管
１４０Ｃ  大気吸入＆圧縮空気送出短管
１４０Ｃ’大気吸入＆圧縮空気送出短管
１４１    深層水取水自動開閉弁保守用手動開閉弁
１４２    深層水取水自動開閉弁
１４３    深層水作用後送出送水自動開閉弁保守用手動開閉弁
１４４    深層水作用後送出送水自動開閉弁
１４５    圧縮空気取り入れ＆自動開閉弁空気源送気短管
１４６    エアータンク
１４７    圧縮空気
１４８    空気圧＆水圧拮抗水面
１４９    深層水取水短管
１５０    深層水取水緊急遮断用自動開閉弁保守用手動開閉弁
１５１    深層水取水緊急遮断用自動開閉弁
１５２    井水又は市水取水手動開閉弁
１５３    井水又は市水取水管継手
１５４Ｄ  深層水取水作用後送出短管
１５４Ｄ‘深層水取水作用後送出短管
１５５Ｄ  深層水取水＆作用後送出シリンダー
１５５Ｄ’深層水取水＆作用後送出シリンダー
１５６Ｄ  深層水取水＆作用後送出ピストン
１５６Ｄ’深層水取水＆作用後送出ピストン
１５７    深層水作用後送出送水自動開閉弁保守用手動開閉弁
１５８    深層水作用後送出送水自動開閉弁
１５９    深層水取水自動開閉弁保守用手動開閉弁
１６０    深層水取水自動開閉弁
１６１    圧縮空気送気自動開閉弁保守用手動開閉弁
１６２    圧縮空気送気自動開閉弁
１６３    大気吸入自動開閉弁保守用手動開閉弁
１６４    大気吸入自動開閉弁
１６５    吸入大気
１６６Ｃ  大気吸入＆圧縮空気発生シリンダー
１６６Ｃ’大気吸入＆圧縮空気発生シリンダー
１６７Ｃ  大気吸入＆大気圧縮ピストン
１６７Ｃ’大気吸入＆大気圧縮ピストン
１６８    環流水取水自動開閉弁保守用手動開閉弁
１６９    環流水取水自動開閉弁
１７０    環流水放出送水自動開閉弁保守用手動開閉弁
１７１    環流水放出送水自動開閉弁
１７２Ｅ  環流水取水＆放出短管
１７２Ｅ’環流水取水＆放出短管
１７３Ｅ  環流水取水＆放出送水シリンダー
１７３Ｅ’環流水取水＆放出送水シリンダー
１７４Ｅ  環流水取水＆圧送ピストン
１７４Ｅ’環流水取水＆圧送ピストン
１７５    深層水取水自動開閉弁保守用手動開閉弁
１７６    深層水取水自動開閉弁
１７７    深層水作用後放出送水自動開閉弁保守用手動開閉弁
１７８    深層水作用後放出送水自動開閉弁
１７９Ｆ  深層水取水＆放出送水短管
１７９Ｆ’深層水取水＆放出送水短管
１８０Ｆ  深層水取水＆放出送水シリンダー
１８０Ｆ’深層水取水＆放出送水シリンダー
１８１Ｆ  深層水取水＆放出送水ピストン
１８１Ｆ’深層水取水＆放出送水ピストン
１８２    深層水作用後放出送水自動開閉弁保守用手動開閉弁
１８３    深層水作用後放出送水自動開閉弁
１８４    深層水取水自動開閉弁保守用手動開閉弁
１８５    深層水取水自動開閉弁
１８６    環流水放出送水自動開閉弁保守用手動開閉弁
１８７    環流水放出送水自動開閉弁
１８８    環流水取水自動開閉弁保守用手動開閉弁
１８９    環流水取水自動開閉弁
１９０    受動伝動輪
【図１】
2015004355.tif 000003
【図２】
2015004355.tif 000004
【図３】
2015004355.tif 000005
【図４】
2015004355.tif 000006
【図５】
2015004355.tif 000007
【図６】
2015004355.tif 000008
【図７】
2015004355.tif 000009
【図８】
2015004355.tif 000010
【図９】
2015004355.tif 000011
【図１０】
2015004355.tif 000012
【図１１】
2015004355.tif 000013
【図１２】
2015004355.tif 000014